(57)【特許請求の範囲】
【請求項１】
無線通信システムにおける電力制御のための端末の動作方法において、
基地局からアップリンク制御チャンネルの割り当てを受信する過程と、
前記アップリンク制御チャンネルに基づいて送信電力制御（Ｔｒａｎｓｍｉｔ  Ｐｏｗｅｒ  Ｃｏｎｔｒｏｌ：ＴＰＣ）命令を受信する位置を決定する過程と、
前記決定された位置でＴＰＣ命令を受信して送信電力を増減する過程と、を含み、
前記アップリンク制御チャンネルに基づいてＴＰＣ命令を受信する位置を決定する過程は、複数のサブフレームで構成される該当フレームインデックスと前記該当フレームにおいて、該当サブフレームのインデックスを決定することを特徴とする方法。
【請求項２】
無線通信システムにおける電力制御のための基地局の動作方法において、
少なくとも一つ以上の端末にアップリンク制御チャンネルを割り当てる過程と、
前記アップリンク制御チャンネルに基づいて送信電力制御命令を伝送する位置を決定する過程と、
前記決定された位置でＴＰＣ命令を伝送する過程と、を含み、
前記アップリンク制御チャンネルに基づいてＴＰＣ命令を受信する位置を決定する過程は、複数のサブフレームで構成される該当フレームインデックスと前記該当フレームにおいて、該当サブフレームのインデックスを決定することを特徴とする方法。
【請求項３】
前記アップリンク制御チャンネルは、ＣＱＩ（Ｃｈａｎｎｅｌ  Ｑｕａｌｉｔｙ  Ｉｎｄｉｃａｔｏｒ）チャンネルであることを特徴とする請求項１或いは請求項２に記載の方法。
【請求項４】
前記複数のサブフレームで構成される該当フレームインデックスと前記該当フレームにおいて、該当サブフレームのインデックスは、下記数式によって決定されることを特徴とする請求項１或いは請求項２に記載の方法。
【数１】
0005539410.tif 000009
ここで、ｉはフレームインデックス、ｍはサブフレームインデックス、ＰはＣＱＩ報告周期であり、サブフレーム単位でカウントされ、Ｎは一つのフレームを構成するサブフレームの総数であり、ｆｌｏｏｒ（ｘ）は、ｘ値より小さい最も大きい整数を出力する関数である。
ここで、ＣＱＩを伝送したのちＴＰＣ命令が伝送されるときまでの区間（第１区間）が、ＴＰＣ命令が伝送されたのち次のＣＱＩを伝送するときまでの区間（第２区間）より大きくない（第１区間≦第２区間）場合である。
或いは、
前記複数のサブフレームで構成される該当フレームインデックスと前記該当フレームにおいて、該当サブフレームのインデックスは、下記数式によって決定されることを特徴とする方法。
【数２】
0005539410.tif 000010
ここで、ｉはフレームインデックス、ｍはサブフレームインデックス、ＰはＣＱＩ報告周期であり、サブフレーム単位でカウントされ、Ｎは一つのフレームを構成するサブフレームの総数であり、ｆｌｏｏｒ（ｘ）は、ｘ値より小さい最も大きい整数を出力する関数であり、ｃｅｉｌ（ｙ）は実数ｙの小数点を四捨五入する関数である。
ここで、ＣＱＩを伝送したのちＴＰＣ命令が伝送されるときまでの区間（第１区間と称する）が、ＴＰＣ命令が伝送されたのち次のＣＱＩを伝送するときまでの区間（第２区間と称する）と同じであるか大きい（第１区間≧第２区間）場合である。
或いは、
前記複数のサブフレームで構成される該当フレームインデックスと前記該当フレームにおいて、該当サブフレームのインデックスは、下記数式によって決定されることを特徴とする方法。
【数３】
0005539410.tif 000011
ここで、ｉはフレームインデックス、ｍはサブフレームインデックス、Ｎは一つのフレームを構成するサブフレームの総数であり、ｆｌｏｏｒ（ｘ）はｘ値より小さい最も大きい整数を出力する関数である。
ここで、ＣＱＩを伝送したのちＴＰＣ命令が伝送されるときまでの区間（第１区間）が、ＴＰＣ命令が伝送されたのち次のＣＱＩを伝送するときまでの区間（第２区間）より大きくない（第１区間≦第２区間）場合である。
或いは、
前記複数のサブフレームで構成される該当フレームインデックスと前記該当フレームにおいて、該当サブフレームのインデックスは、下記数式によって決定されることを特徴とする方法。
【数４】
0005539410.tif 000012
ここで、ｉはフレームインデックス、ｍはサブフレームインデックス、Ｎは一つのフレームを構成するサブフレームの総数であり、ｆｌｏｏｒ（ｘ）はｘ値より小さい最も大きい整数を出力する関数であり、ｃｅｉｌ（ｙ）は実数ｙの小数点を四捨五入する関数である。
ここで、ＣＱＩを伝送したのちＴＰＣ命令が伝送されるときまでの区間（第１区間と称する）が、ＴＰＣ命令が伝送されたのち次のＣＱＩを伝送するときまでの区間（第２区間と称する）と同じであるか大きい（第１区間≧第２区間）場合である。
或いは、
前記複数のサブフレームで構成される該当フレームインデックスと前記該当フレームにおいて、該当サブフレームのインデックスは、下記数式によって決定されることを特徴とする方法。
【数５】
0005539410.tif 000013
ここで、ｉはフレームインデックス、ｍはサブフレームインデックス、Ｎは一つのフレームを構成するサブフレームの総数であり、ＲはＣＱＩを伝送した後ＴＰＣ命令を伝送する間の区間である。
或いは、
前記複数のサブフレームで構成される該当フレームインデックスと前記該当フレームにおいて、該当サブフレームのインデックスは、下記数式によって決定されることを特徴とする方法。
【数６】
0005539410.tif 000014
ここで、ｉはフレームインデックス、ｓはＱ＊ｍ＋ｑ、ＴはダウンリンクサブフレームにおけるＴＰＣチャンネルの総数である。ＱはアップリンクサブフレームにおけるＣＱＩチャンネルの総数、ｍはサブフレームインデックス、ｑは端末のためのＣＱＩチャンネルが割り当てられた位置のためのインデックスである。ｆｌｏｏｒ（ｘ）はｘ値より小さい最も大きい整数を出力する関数であり、
前記Ｔはｃｅｉｌ（Ｑ＊Ｕ／Ｄ）で決定され、前記Ｕはアップサブフレームの総数であり、前記Ｄはダウンサブフレームの総数である。
或いは、
前記複数のサブフレームで構成される該当フレームインデックスと前記該当フレームにおいて、該当サブフレームのインデックスは、下記数式によって決定されることを特徴とする方法。
【数７】
0005539410.tif 000015
ここで、ｉはフレームインデックス、ｓはＱ＊ｍ＋ｑ、ＴはダウンリンクサブフレームにおけるＴＰＣチャンネルの総数である。ＱはアップリンクサブフレームにおけるＣＱＩチャンネルの総数、ｍはサブフレームインデックス、ｑは端末のためのＣＱＩチャンネルが割り当てられた位置のためのインデックスである。ＰはＣＱＩ報告周期で、サブフレーム単位でカウントされ、Ｎは一つのフレームを構成するサブフレームの総数であり、ｆｌｏｏｒ（ｘ）はｘ値より小さい最も大きい整数を出力する関数であり、ｃｅｉｌ（ｙ）は実数ｙの小数点を四捨五入する関数であり、
前記Ｔはｃｅｉｌ（Ｑ＊Ｕ／Ｄ）で決定され、前記Ｕはアップサブフレームの総数であり、前記Ｄはダウンサブフレームの総数である。
或いは、
前記複数のサブフレームで構成される該当フレームインデックスと前記該当フレームにおいて、該当サブフレームのインデックスは、下記数式によって決定されることを特徴とする方法。
【数８】
0005539410.tif 000016
ここで、ｉはフレームインデックス、ｓはＱ＊ｍ＋ｑ、ＴはダウンリンクサブフレームにおけるＴＰＣチャンネルの総数である。ＱはアップリンクサブフレームにおけるＣＱＩチャンネルの総数、ｍはサブフレームインデックス、ｑは端末のためのＣＱＩチャンネルが割り当てられた位置のためのインデックスである。ＰはＣＱＩ報告周期で、サブフレーム単位でカウントされ、Ｎは一つのフレームを構成するサブフレームの総数であり、ｆｌｏｏｒ（ｘ）はｘ値より小さい最も大きい整数を出力する関数であり、
前記Ｔはｃｅｉｌ（Ｑ＊Ｕ／Ｄ）で決定され、前記Ｕはアップサブフレームの総数であり、前記Ｄはダウンサブフレームの総数である。
或いは、
前記複数のサブフレームで構成される該当フレームインデックスと前記該当フレームにおいて、該当サブフレームのインデックスは、下記数式によって決定されることを特徴とする方法。
【数９】
0005539410.tif 000017
ここで、ｉはフレームインデックス、ＲはＣＱＩを伝送した後ＴＰＣ命令を伝送する間の区間、ｓはＱ＊ｍ＋ｑ、ＴはダウンリンクサブフレームにおけるＴＰＣチャンネルの総数である。ＱはアップリンクサブフレームにおけるＣＱＩチャンネルの総数、ｍはサブフレームインデックス、ｑは端末のためのＣＱＩチャンネルが割り当てられた位置のためのインデックスである。ｆｌｏｏｒ（ｘ）はｘ値より小さい最も大きい整数を出力する関数であり、
前記Ｔはｃｅｉｌ（Ｑ＊Ｕ／Ｄ）で決定され、前記Ｕはアップサブフレームの総数であり、前記Ｄはダウンサブフレームの総数である。
【請求項５】
無線通信システムにおける電力制御のための端末装置において、
アップリンク制御チャンネルに基づいて送信電力制御命令を受信する位置を決定するＴＰＣ伝送位置決定部と、
前記アップリンク制御チャンネルを割り当てられ、前記決定された位置でＴＰＣ命令を受信して送信電力を増減する制御部と、を含み、
前記ＴＰＣ伝送位置決定部は、複数のサブフレームで構成される該当フレームインデックスと前記該当フレームにおいて、該当サブフレームのインデックスを決定することを特徴とする装置。
【請求項６】
無線通信システムにおける電力制御のための基地局装置において、
少なくとも一つ以上の端末にアップリンク制御チャンネルを割り当てる制御部と、
前記アップリンク制御チャンネルに基づいて送信電力制御命令を伝送する位置を決定するＴＰＣ伝送位置決定部と、を含み、
前記制御部は、前記決定された位置でＴＰＣ命令を伝送し、
前記ＴＰＣ伝送位置決定部は、複数のサブフレームで構成される該当フレームインデックスと前記該当フレームにおいて、該当サブフレームのインデックスを決定することを特徴とする装置。
【請求項７】
前記アップリンク制御チャンネルは、ＣＱＩチャンネルであることを特徴とする請求項５或いは請求項６に記載の装置。
【請求項８】
前記複数のサブフレームで構成される該当フレームインデックスと前記該当フレームにおいて、該当サブフレームのインデックスは、下記数式によって決定されることを特徴とする請求項５或いは請求項６に記載の装置。
【数１０】
0005539410.tif 000018
ここで、ｉはフレームインデックス、ｍはサブフレームインデックス、ＰはＣＱＩ報告周期であり、サブフレーム単位でカウントされ、Ｎは一つのフレームを構成するサブフレームの総数であり、ｆｌｏｏｒ（ｘ）はｘ値より小さい最も大きい整数を出力する関数である。
ここで、ＣＱＩを伝送したのちＴＰＣ命令が伝送されるときまでの区間（第１区間と称する）が、ＴＰＣ命令が伝送されたのち次のＣＱＩを伝送するときまでの区間（第２区間と称する）より大きくない（第１区間≦第２区間）場合である。
或いは、
前記複数のサブフレームで構成される該当フレームインデックスと前記該当フレームにおいて、該当サブフレームのインデックスは、下記数式によって決定されることを特徴とする装置。
【数１１】
0005539410.tif 000019
ここで、ｉはフレームインデックス、ｍはサブフレームインデックス、ＰはＣＱＩ報告周期であり、サブフレーム単位でカウントされ、Ｎは一つのフレームを構成するサブフレームの総数であり、ｆｌｏｏｒ（ｘ）は、ｘ値より小さい最も大きい整数を出力する関数であり、ｃｅｉｌ（ｙ）は実数ｙの小数点を四捨五入する関数である。
ここで、ＣＱＩを伝送したのちＴＰＣ命令が伝送されるときまでの区間（第１区間と称する）が、ＴＰＣ命令が伝送されたのち次のＣＱＩを伝送するときまでの区間（第２区間と称する）と同じであるか大きい（第１区間≧第２区間）場合である。
或いは、
前記複数のサブフレームで構成される該当フレームインデックスと前記該当フレームにおいて、該当サブフレームのインデックスは、下記数式によって決定されることを特徴とする装置。
【数１２】
0005539410.tif 000020
ここで、ｉはフレームインデックス、ｍはサブフレームインデックス、Ｎは一つのフレームを構成するサブフレームの総数であり、ｆｌｏｏｒ（ｘ）はｘ値より小さい最も大きい整数を出力する関数である。
ここで、ＣＱＩを伝送したのちＴＰＣ命令が伝送されるときまでの区間（第１区間）が、ＴＰＣ命令が伝送されたのち次のＣＱＩを伝送するときまでの区間（第２区間）より大きくない（第１区間≦第２区間）場合である。
或いは、
前記複数のサブフレームで構成される該当フレームインデックスと前記該当フレームにおいて、該当サブフレームのインデックスは、下記数式によって決定されることを特徴とする装置。
【数１３】
0005539410.tif 000021
ここで、ｉはフレームインデックス、ｍはサブフレームインデックス、Ｎは一つのフレームを構成するサブフレームの総数であり、ｆｌｏｏｒ（ｘ）はｘ値より小さい最も大きい整数を出力する関数であり、ｃｅｉｌ（ｙ）は実数ｙの小数点を四捨五入する関数である。
ここで、ＣＱＩを伝送したのちＴＰＣ命令が伝送されるときまでの区間（第１区間と称する）が、ＴＰＣ命令が伝送されたのち次のＣＱＩを伝送するときまでの区間（第２区間と称する）と同じであるか大きい（第１区間≧第２区間）場合である。
或いは、
前記複数のサブフレームで構成される該当フレームインデックスと前記該当フレームにおいて、該当サブフレームのインデックスは、下記数式によって決定されることを特徴とする装置。
【数１４】
0005539410.tif 000022
ここで、ｉはフレームインデックス、ｍはサブフレームインデックス、Ｎは一つのフレームを構成するサブフレームの総数であり、ＲはＣＱＩを伝送した後ＴＰＣ命令を伝送する間の区間である。
或いは、
前記複数のサブフレームで構成される該当フレームインデックスと前記該当フレームにおいて、該当サブフレームのインデックスは、下記数式によって決定されることを特徴とする装置。
【数１５】
0005539410.tif 000023
ここで、ｉはフレームインデックス、ｓはＱ＊ｍ＋ｑ、ＴはダウンリンクサブフレームにおけるＴＰＣチャンネルの総数である。ＱはアップリンクサブフレームにおけるＣＱＩチャンネルの総数、ｍはサブフレームインデックス、ｑは端末のためのＣＱＩチャンネルが割り当てられた位置のためのインデックスである。ｆｌｏｏｒ（ｘ）はｘ値より小さい最も大きい整数を出力する関数であり、
前記Ｔはｃｅｉｌ（Ｑ＊Ｕ／Ｄ）で決定され、前記Ｕはアップサブフレームの総数であり、前記Ｄはダウンサブフレームの総数である。
或いは、
前記複数のサブフレームで構成される該当フレームインデックスと前記該当フレームにおいて、該当サブフレームのインデックスは、下記数式によって決定されることを特徴とする装置。
【数１６】
0005539410.tif 000024
ここで、ｉはフレームインデックス、ｓはＱ＊ｍ＋ｑ、ＴはダウンリンクサブフレームにおけるＴＰＣチャンネルの総数である。ＱはアップリンクサブフレームにおけるＣＱＩチャンネルの総数、ｍはサブフレームインデックス、ｑは端末のためのＣＱＩチャンネルが割り当てられた位置のためのインデックスである。ＰはＣＱＩ報告周期で、サブフレーム単位でカウントされ、Ｎは一つのフレームを構成するサブフレームの総数であり、ｆｌｏｏｒ（ｘ）はｘ値より小さい最も大きい整数を出力する関数であり、ｃｅｉｌ（ｙ）は実数ｙの小数点を四捨五入する関数であり。
前記Ｔはｃｅｉｌ（Ｑ＊Ｕ／Ｄ）で決定され、前記Ｕはアップサブフレームの総数であり、前記Ｄはダウンサブフレームの総数である。
或いは、
前記複数のサブフレームで構成される該当フレームインデックスと前記該当フレームにおいて、該当サブフレームのインデックスは、下記数式によって決定されることを特徴とする装置。
【数１７】
0005539410.tif 000025
ここで、ｉはフレームインデックス、ｓはＱ＊ｍ＋ｑ、ＴはダウンリンクサブフレームにおけるＴＰＣチャンネルの総数である。ＱはアップリンクサブフレームにおけるＣＱＩチャンネルの総数、ｍはサブフレームインデックス、ｑは端末のためのＣＱＩチャンネルが割り当てられた位置のためのインデックスである。ＰはＣＱＩ報告周期で、サブフレーム単位でカウントされ、Ｎは一つのフレームを構成するサブフレームの総数であり、ｆｌｏｏｒ（ｘ）はｘ値より小さい最も大きい整数を出力する関数であり、
前記Ｔはｃｅｉｌ（Ｑ＊Ｕ／Ｄ）で決定され、前記Ｕはアップサブフレームの総数であり、前記Ｄはダウンサブフレームの総数である。
或いは、
前記複数のサブフレームで構成される該当フレームインデックスと前記該当フレームにおいて、該当サブフレームのインデックスは、下記数式によって決定されることを特徴とする装置。
【数１８】
0005539410.tif 000026
ここで、ｉはフレームインデックス、ＲはＣＱＩを伝送した後ＴＰＣ命令を伝送する間の区間、ｓはＱ＊ｍ＋ｑ、ＴはダウンリンクサブフレームにおけるＴＰＣチャンネルの総数である。ＱはアップリンクサブフレームにおけるＣＱＩチャンネルの総数、ｍはサブフレームインデックス、ｑは端末のためのＣＱＩチャンネルが割り当てられた位置のためのインデックスである。ｆｌｏｏｒ（ｘ）はｘ値より小さい最も大きい整数を出力する関数であり、
前記Ｔはｃｅｉｌ（Ｑ＊Ｕ／Ｄ）で決定され、前記Ｕはアップサブフレームの総数であり、前記Ｄはダウンサブフレームの総数である。
【発明の詳細な説明】
【技術分野】
【０００１】
本発明は電力制御に関するものであり、特に広帯域無線通信システムにおけるアップリンク制御チャンネルに基づいて、電力制御命令の伝送位置を決定して電力制御を行うための方法及び装置に関するものである。
【背景技術】
【０００２】
次世代通信システムでは、高速の多様なサービス品質（Ｑｕａｌｉｔｙ  ｏｆ  Ｓｅｒｖｉｃｅ：以下、「ＱｏＳ」と称する）を有するサービスを使用者に提供するための活発な研究が行われている。通信システムで使用する電力制御方式は、基地局が移動端末からフィードバック情報を受信するか否かによって、開ループ（ｏｐｅｎ−ｌｏｏｐ）電力制御方式と閉ループ（ｃｏｌｓｅｄ−ｌｏｏｐ）電力制御方式とで分けることができる。
【０００３】
前記開ループ電力制御方式は、電力制御を行う送信機が独立的に受信機のチャネル状態を判断して電力制御を行うことで、ダウンリンクとアップリンクチャンネルの可逆性に基づいて制御する方式である。ここで、前記アップリンクとダウンリックチャンネルの可逆性（ｃｈａｎｎｅｌ  ｒｅｖｅｒｓｉｂｉｌｌｉｔｙ）というのは、チャンネルの品質を決定する基地局と端末との距離による経路減衰、アンテナパターンによるアンテナ利得、地形地物によるシャドウイング効果及びマルチパスフェージングなどで、前記基地局と端末との間の位置が同一な状況で類似した経路減衰を経験するということを意味する。即ち、前記開ループ電力制御方式は、上述したアップリンクとダウンリンクチャンネルの可逆性に基づいて、送信機から直接受信機の信号の受信品質を予測し、必要な送信電力を決定し、信号を送信する方式である。
【０００４】
前記閉ループ電力制御方式は、前記開ループ電力制御方式とは異なって、送信機が独立的にチャネルの品質を判断せず、フィードバックチャンネルを介して受信した受信機の信号受信品質に基づいて必要なだけの送信電力を制御する方式である。このような閉ループ電力制御方式では、前記フィードバックチャンネルのためのオーバーヘッド（ｏｖｅｒｈｅａｄ）が発生するという短所があるが、送信機が受信機でのチャンネル品質を知ることができるため、開ループ電力制御方式と比べ更に正確な送信信号の大きさを制御することができるという長所がある。
【０００５】
例えば、従来のＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）基盤の広帯域無線通信システム（例:ＩＥＥＥ８０２．１６システム）は、ＩＥ（Ｉｎｆｏｒｍａｔｉｏｎ  Ｅｌｅｍｅｎｔ）形態や端末識別子を活用して全ての使用者に対する送信電力制御（Ｔｒａｎｓｍｉｔ  Ｐｏｗｅｒ  Ｃｏｎｔｒｏｌ：以下、「ＴＰＣ」と称する）命令を伝送することができるが、フィードバックチャンネルのためのオーバーヘッドが大きい。
【０００６】
上述したように、広帯域無線通信システムにおいて、基地局から通信サービスを提供される端末の個数が増加するほど、前記閉ループ電力制御方式は基地局が各端末からフィードバックされるべきチャンネル品質情報の量が増加し、それだけでなく、前記チャンネル品質情報を受信するために割り当てたフィードバックチャンネルのオーバーヘッドが増加するという問題点がある。
【０００７】
従って、無線通信システムにおけるアップ電力制御の際、閉ループ電力制御のための効率的な電力制御命令の伝送方法及び装置が必要となる。
【発明の概要】
【発明が解決しようとする課題】
【０００８】
本発明の目的は、上述した問題点及び短所を解決するためのものであり、以下のような利点のうち少なくとも一つを提供する。従って、本発明の目的は、広帯域無線通信システムにおける閉ループ電力制御による送信電力制御命令のためのダウンリンク制御チャンネルのオーバーヘッドを減らすための方法及び装置を提供することにある。
【０００９】
本発明の他の目的は、広帯域無線通信システムにおいて、アップリンク制御チャンネルに基づいて電力制御命令の伝送位置を非明示的に決定するための方法及び装置を提供することにある。
【００１０】
本発明の更に他の目的は、広帯域無線通信システムにおいて、閉ループ電力制御のための効果的な電力制御命令の伝送方法及び装置に提供することにある。
【課題を解決するための手段】
【００１１】
上述した目的を達成するための本発明の第１見地によると、無線通信システムにおける電力制御のための端末の動作方法において、基地局から端末にアップリンク制御チャンネルを割り当てる過程と、前記アップリンク制御チャンネルに基づいて送信電力制御命令を受信する位置を決定する過程と、前記決定された位置でＴＰＣ命令を受信して送信電力を増減する過程を含むことを特徴とする。
【００１２】
上述した目的を達成するための本発明の第２見地によると、無線通信システムにおける電力制御のための端末の動作方法において、基地局からアップリンク制御チャンネルを割り当てられる過程と、前記アップリンク制御チャンネルを介して制御情報を送信する過程と、前記アップリンク制御チャンネルに対応する送信電力制御命令を既に定義された区間で受信する過程を含み、前記既に定義された区間は、アップリンク制御情報の伝送周期によって決定されることを特徴とする。
【００１３】
上述した目的を達成するための本発明の第３見地によると、無線通信システムにおける電力制御のための基地局の動作方法において、少なくとも一つ以上の端末にアップリンク制御チャンネルを割り当てる過程と、前記アップリンク制御チャンネルを介して制御情報を受信する過程と、前記アップリンク制御チャンネルの信号対雑音比（Ｓｉｇｎａｌ−ｔｏ−Ｉｎｔｅｒｆｅｒｅｎｃｅ−ｐｌｕｓ−Ｎｏｉｓｅ−Ｒａｔｉｏ：ＳＩＮＲ）を測定する過程と、前記測定されたＳＩＮＲを考慮して送信電力制御命令を既に定義された区間で送信する過程を含み、前記既に定義された区間は、アップリンク制御情報の伝送周期によって決定されることを特徴とする。
【００１４】
上述した目的を達成するための本発明の第４見地によると、無線通信システムにおける電力制御のための基地局の動作方法において、少なくとも一つ以上の端末にアップリンク制御チャンネルを割り当てる過程と、前記アップリンク制御チャンネルを介して制御情報を受信する過程と、前記アップリンク制御チャンネルの信号対雑音比を測定する過程と、前記測定されたＳＩＮＲを考慮して送信電力制御命令を既に定義された区間で送信する過程を含み、前記既に定義された区間は、アップリンク制御情報の伝送周期によって決定されることを特徴とする。
【００１５】
上述した目的を達成するための本発明の第５見地によると、無線通信システムにおける電力制御のための端末装置において、アップリンク制御チャンネルに基づいて送信電力制御命令を受信する位置を決定するＴＰＣ伝送位置決定部と、前記アップリンク制御チャンネルを割り当てられ、前記決定された位置でＴＰＣ命令を受信して送信電力を増減する制御部を含むことを特徴とする。
【００１６】
上述した目的を達成するための本発明の第６見地によると、無線通信システムにおける電力制御のための端末装置において、基地局からアップリンク制御チャンネルを割り当てられ、前記アップリンク制御チャンネルを介して制御情報を送信する過程と、前記アップリンク制御チャンネルに対応する送信電力制御命令を既に定義された区間で受信するＴＰＣ伝送位置決定部を含み、前記既に定義された区間は、アップリンク制御情報の伝送周期によって決定されることを特徴とする。
【００１７】
上述した目的を達成するための本発明の第７見地によると、無線通信システムにおける電力制御のための基地局装置において、少なくとも一つ以上の端末にアップリンク制御チャンネルを割り当てる制御部と、前記アップリンク制御チャンネルに基づいて送信電力制御命令を伝送する位置を決定するＴＰＣ伝送位置決定部を含み、前記制御部は、前記決定された位置でＴＰＣ命令を伝送することを特徴とする。
【００１８】
上述した目的を達成するための本発明の第８見地によると、無線通信システムにおける電力制御のための基地局装置において、少なくとも一つ以上の端末にアップリンク制御チャンネルを割り当て、前記アップリンク制御チャンネルを介して制御情報を受信する制御部と、前記アップリンク制御チャンネルの信号対雑音比を測定するＳＩＮＲ測定部と、前記測定されたＳＩＮＲを考慮して送信電力制御命令を既に定義された区間で受信するＴＰＣ伝送位置決定部を含み、前記既に定義された区間は、アップリンク制御情報の伝送周期によって決定されることを特徴とする。
【００１９】
本発明の実施形態による本発明の上述した見地（ａｓｐｅｃｔ）及び他の見地、特徴、利益は、以下のような図面と共に説明される詳細な説明から明白に認識されるはずである。
【図面の簡単な説明】
【００２０】
【図１】本発明の実施形態によるＦＤＤ（Ｆｒｅｑｕｅｎｃｙ  Ｄｉｖｉｓｉｏｎ  Ｄｕｐｌｅｘ）基盤の広帯域無線通信システムにおいて、ＴＰＣ命令のためのオーバーヘッドを減らすための例示図である。
【図２】本発明の実施形態によるＦＤＤ基盤の広帯域無線通信システムにおいて、ＴＰＣ命令のためのオーバーヘッドを減らすための例示図である。
【図３】本発明の実施形態による広帯域無線通信システムにおいて、閉ループ電力制御によるＴＰＣ命令のためのオーバーヘッドを減らすための端末動作のフローチャートである。
【図４】本発明の実施形態による広帯域無線通信システムにおいて、閉ループ電力制御によるＴＰＣ命令のためのオーバーヘッドを減らすための基地局動作のフローチャートである。
【図５】本発明の実施形態による広帯域無線通信システムにおいて、閉ループ電力制御によるＴＰＣ命令のためのオーバーヘッドを減らすための基地局の構成図である。
【図６】本発明の実施形態による広帯域無線通信システムにおいて、閉ループ電力制御によるＴＰＣ命令のためのオーバーヘッドを減らすための端末の構成図である。
【発明を実施するための形態】
【００２１】
図面において、参照番号は、同じであるか類似した要素、特徴、構造を説明するために使用される。
【００２２】
以下の図面を参考した説明は、特許請求の範囲及びこれと同等なものによって定義される本発明の実施形態の包括的な理解を助けるために提供される。以下の説明は、理解を助けるために多様な具体的な細部事項を含むが、単なる例示として取り扱われるのみである。従って、本発明の思想や範囲を逸脱しない範囲内で実施形態の多様な変形及び修正が可能であるというのはもちろんである。また、広く知られている機能及び構造の説明は、明確性のために省略する。
【００２３】
以下の説明及び特許請求の範囲で使用される用語及び単語は、書誌的（ｂｉｂｌｉｏｇｒａｐｈｉｃａｌ）意味に限らず、単なる発明の明確性及びその理解のために使用されたものである。従って、当業者にとって、以下で説明される本発明の実施形態は説明の目的であるだけで、特許請求の範囲及びこれと同等なものによって定義される発明を限定するためではない。
【００２４】
以下、本発明は、広帯域無線通信システムにおける閉ループ電力制御による送信電力制御命令のためのオーバーヘッドを減らすための方法及び装置について説明する。
【００２５】
本発明は、一つのフレームが多数のサブフレームで構成されるＯＦＤＭＡシステムにおいて、最小限の資源を使用してＴＰＣ命令を伝送する方法及び装置を提案する。前記ＴＰＣ命令は閉ループ電力制御環境で使用され、周期的なＴＰＣ命令の割り当てのためには、周期的なアップリンクチャンネルの基準信号が必要となる。なぜならば、アップリンクチャンネルの変化に応じてＴＰＣ命令値を決定するためである。
【００２６】
以下、本発明では、アップリック制御チャンネルのうち、ダウンリンクチャンネル情報をフィードバックするためのＣＱＩ（Ｃｈａｎｎｅｌ  Ｑｕａｌｉｔｙ  Ｉｎｄｉｃａｔｏｒ）チャンネルを利用してアップリンクチャンネルを推定し、これに応じたＴＰＣ命令値を生成して、非明示的な（ｉｍｐｌｉｃｉｔ）フレーム位置で伝送する。
【００２７】
以下の説明ではＣＱＩチャンネルを一例として説明するが、アップリンク基準信号として、レンジングチャンネル又はＡＣＫチャンネルなどの他のアップリンク制御チャンネルなどが使用されてもよい。
【００２８】
図１は、本発明の実施形態によるＦＤＤ或いはＨＦＤＤ（Ｈａｌｆ  ＦＤＤ）基盤の広帯域無線通信システムにおいて、ＴＰＣ命令のためのオーバーヘッドを減らすための例を示す図である。
【００２９】
前記図１を参照すると、ＦＤＤシステムのフレーム構造において、一つのフレームは８つのサブフレームで構成されると仮定する。そして、ＣＱＩ報告周期（Ｐ）は、８つのサブフレームであると仮定する。
【００３０】
第１端末のＣＱＩ＃１ １００がｉ番目のフレーム１４０のＵＬ＃３サブフレームを介して基地局に伝送される場合、前記基地局は該当ＣＱＩチャンネルのＳＩＮＲを測定し、これに対するＴＰＣ命令値を決定した後、前記第１端末と定義された位置でＴＰＣ命令（ＴＰＣ＃１） １１０を前記第１端末に伝送する。ＴＰＣ命令の位置は（ｉ）番目のフレーム１４０のＤＬ＃７サブフレームであり、これは前記第１端末と前記基地局でそれぞれＣＱＩチャンネル割当情報から計算することができる。従って、前記基地局は、別途のダウンリンクチャンネルを介してＴＰＣ命令のためのオーバーヘッドを伝送する必要がない。
【００３１】
同じく、第２端末のＣＱＩ＃２ １２０がｉ番目のフレーム１４０のＵＬ＃７サブフレームを介して伝送される場合、前記基地局は該当ＣＱＩチャンネルのＳＩＮＲを測定し、これに対するＴＰＣ命令値を決定した後、前記第２端末と定義された位置でＴＰＣ命令（ＴＰＣ＃２）１３０を前記第２端末に伝送する。ＴＰＣ命令の位置は（ｉ＋１）番目のフレームのＤＬ＃３であり、これは前記第２端末と前記基地局でそれぞれＣＱＩチャンネル割当情報から計算することができる。
【００３２】
他の具現において、各サブフレーム内のＴＰＣ命令の位置はＣＱＩチャンネルとマッチングされ、ＣＱＩ＃１ １００の場合、ＵＬ＃３サブフレームのｑ番目のＣＱＩチャンネルを使用すると、端末のためのＴＰＣ命令の位置は、ＤＬ＃３サブフレームのｑ番目のＴＰＣ命令チャンネルを使用する。
【００３３】
前記基地局と前記端末がそれぞれＴＰＣ命令チャンネルを決定するための規則は以下のようである。
【００３４】
フレームインデックスｉ、サブフレームインデックスｍ、チャンネルインデックスｑであり、ＣＱＩを伝送したのちＴＰＣ命令が伝送されるときまでの区間（第１区間と称する）が、ＴＰＣ命令が伝送されたのち他のＣＱＩを伝送するときまでの区間（第２区間と称する）より大きくないとき（第１区間≦第２区間）である場合（このようにデザインする場合）、ＴＰＣ命令チャンネルのフレームは下記＜数１＞のように、サブフレームは下記＜数２＞のように計算される。
【００３５】
【数１】
0005539410.tif 000002
【数２】
0005539410.tif 000003
【００３６】
ここで、ＰはＣＱＩ報告周期であり、サブフレーム単位でカウントされ、Ｎは一つのフレームを構成するサブフレームの総数である。ｆｌｏｏｒ（ｘ）は、ｘ値より小さい最も大きい整数を出力する関数である。
【００３７】
即ち、サブフレームの個数Ｎ、或いはＣＱＩ伝送周期Ｐによって、第１区間≦第２区間である関係を有するようにする。
【００３８】
フレームインデックスｉ、サブフレームインデックスｍ、チャンネルインデックスｑであり、ＣＱＩを伝送したのちＴＰＣ命令が伝送されるときまでの区間（第１区間と称する）が、ＴＰＣ命令が伝送されたのち他のＣＱＩを伝送するときまでの区間（第２区間と称する）と同じであるか大きいとき（第１区間≧第２区間）である場合（このようにデザインする場合）、ＴＰＣ命令チャンネルのフレームは下記＜数３＞のように、サブフレームは下記＜数４＞のように計算される。
【００３９】
【数３】
0005539410.tif 000004
【数４】
0005539410.tif 000005
【００４０】
ここで、ＰはＣＱＩ報告周期であり、サブフレーム単位でカウントされ、Ｎは一つのフレームを構成するサブフレームの総数である。ｆｌｏｏｒ（ｘ）は、ｘ値より小さい最も大きい整数を出力する関数であり、ｃｅｉｌ（ｙ）は、実数ｙの小数点を四捨五入する関数である。
【００４１】
即ち、サブフレームの個数Ｎ、或いはＣＱＩ伝送周期Ｐによって、第１区間≧第２区間である関係を有するようにする。
【００４２】
フレームインデックスｉ、サブフレームインデックスｍ、チャンネルインデックスｑであり、ＲがＣＱＩが伝送されるサブフレームから次のＴＰＣ命令が伝送されるときまでの区間で、サブフレーム単位で決定されるとき、ＴＰＣ命令チャンネルのフレームは下記＜数５＞のように、サブフレームは下記＜数６＞のように計算される。例えば、前記図のようにＵＬ＃３でＣＱＩ＃１ １００が伝送され、Ｒが４であるとすると、次のＴＰＣ命令はＤＬ＃７から伝送される（１１０）。ここで、前記Ｒは、基地局が端末に放送するシステム運用パラメータとして設定されてもよい。
【００４３】
【数５】
0005539410.tif 000006
【数６】
0005539410.tif 000007
【００４４】
ここで、ＣＱＩを伝送した後、一定区間Ｒサブフレームの後にＴＰＣ命令を伝送する方法として、基地局はＲの値をシステム運用パラメータとして定義して端末に知らせなければならないため、前記＜数１＞乃至前記＜数４＞に比べシグナリングオーバーヘッドが多少増加してもよいが、最も柔軟性（ｆｌｅｘｉｂｉｌｌｉｔｙ）がよい。
【００４５】
図２は、本発明の実施形態によるＴＤＤ（Ｔｉｍｅ  Ｄｉｖｉｓｉｏｎ  Ｄｕｐｌｅｘ）基盤の広帯域無線通信システムにおいて、ＴＰＣ命令のためのオーバーヘッドを減らすための例を示す図である。
【００４６】
前記図２を参照すると、ＴＤＤシステムのフレーム構造において、一つのフレームは８つのサブフレームで構成されると仮定する。
【００４７】
以下のパラメータは、本発明を説明するために使用されるフレーム構造及びＣＱＩチャンネル関連のパラメータである。
【００４８】
Ｎ：ｔｏｔａｌ  ｎｕｍｂｅｒ  ｏｆ  ｓｕｂｆｒａｍｅｓ  ｉｎ  ａ  ｆｒａｍｅ（Ｎ＝Ｄ＋Ｕ）
Ｄ：ｔｏｔａｌ  ｎｕｍｂｅｒ  ｏｆ  ｄｏｗｎｌｉｎｋ  ｓｕｂｆｒａｍｅｓ  ｉｎ  ａ  ｆｒａｍｅ
Ｕ：ｔｏｔａｌ  ｎｕｍｂｅｒ  ｏｆ  ｕｐｌｉｎｋ  ｓｕｂｆｒａｍｅｓ  ｉｎ  ａ  ｆｒａｍｅ
Ｑ：ｔｏｔａｌ  ｎｕｍｂｅｒ  ｏｆ  ＣＱＩ  ｃｈａｎｎｅｌｓ  ｉｎ  ａ  ｕｐｌｉｎｋ  ｓｕｂｆｒａｍｅ
ｑ：ｔｈｅ  ｉｎｄｅｘ  ｆｏｒ  ａｓｓｉｇｎｅｄ  ｌｏｃａｔｉｏｎ  ｏｆ  ＣＱＩ  Ｃｈａｎｎｅｌ  ｆｏｒ  ａ  ＭＳ
Ｔ：ｔｏｔａｌ  ｎｕｍｂｅｒ  ｏｆ  ＴＰＣ  ｃｈａｎｎｅｌｓ  ｉｎ  ａ  ｄｏｗｎｌｉｎｋ  ｓｕｂｆｒａｍｅ
ｍ：ＵＬ  ｓｕｂｆａｒｍｅ  ｉｎｄｅｘ（０≦ｍ≦Ｕ−１）
【００４９】
ＴＤＤシステムのフレーム構造において、フレーム当たりＣＱＩチャンネルの総数とＴＰＣ命令チャンネルの総数は同じであり、Ｕ＊Ｑ＝Ｄ＊Ｔ、サブフレーム当たりＣＱＩチャンネルの数はフレーム内の全てのサブフレームにおいて一定であり、サブフレーム当たりＴＰＣ命令チャンネルの数は、フレーム内の全てのサブフレームにおいて一定であると仮定する。
【００５０】
このようである場合、下記のようにＴＰＣチャンネルの位置を決定してもよい。
【００５１】
１）Ｔ＝ｃｅｉｌ（Ｕ＊Ｑ／Ｄ）
２）端末のＣＱＩ位置がｍ番目のサブフレームのｑ番目のチャンネルである場合、フレーム内の総ＣＱＩチャンネルのうちのＣＱＩインデックス（ｓ）は、ｓ＝Ｑ＊ｍ＋ｑのようである。（０≦ｓ≦Ｕ＊Ｑ−１）。
３）ＴＰＣ位置サブフレーム：ｆｌｏｏｒ［ｓ/Ｔ］
4）ＴＰＣのサブフレーム内のチャンネル：ｓ  ｍｏｄ  Ｔ
【００５２】
【表１】
0005539410.tif 000008
【００５３】
１）ｏｐｔｉｏｎ  １
ＣＱＩを伝送したｉ番目のフレームの直後の（ｉ＋１）番目のフレームのｆｌｏｏｒ［ｓ/Ｔ］番目のサブフレーム内のｓ  ｍｏｄ  Ｔ番目のＴＰＣチャンネルにＴＰＣが位置する場合である。
【００５４】
２）ｏｐｔｉｏｎ  ２
ＣＱＩの周期Ｐ（サブフレーム単位）をフレーム当たりサブフレーム個数で割った値の半以前のフレームのｆｌｏｏｒ［ｓ/Ｔ］番目のサブフレーム内のｓ  ｍｏｄ  Ｔ番目のＴＰＣチャンネルにＴＰＣが位置する場合である。
【００５５】
３）ｏｐｔｉｏｎ  ３
ＣＱＩの周期Ｐ（サブフレーム単位）をフレーム当たりサブフレーム個数で割った値の半以降のフレームのｆｌｏｏｒ［ｓ/Ｔ］番目のサブフレーム内のｓ  ｍｏｄ  Ｔ番目のＴＰＣチャンネルにＴＰＣが位置する場合である。
【００５６】
４）ｏｐｔｉｏｎ  ４
ＣＱＩを伝送したｉ番目のフレームのＲの次の（ｉ＋Ｒ）番目のフレームのｆｌｏｏｒ［ｓ/Ｔ］番目のサブフレーム内のｓ  ｍｏｄ  Ｔ番目のＴＰＣチャンネルにＴＰＣが位置する場合である。ここで、ＣＱＩを伝送した後、一定区間Ｒサブフレームの後にＴＰＣ命令が伝送される場合で、Ｒはシステムパラメータとして運用してもよい。
【００５７】
例えば、前記図２において、Ｎは８、Ｄは５、Ｕは３であり、サブレーム当たりＣＱＩチャンネルの総数Ｑは３０であると仮定する場合、ダウンリンクサブフレーム当たりＴＰＣ命令チャンネルの数は、３０＊３／５＝１６となる。
【００５８】
前記表１において、ｏｐｔｉｏｎ  ４のＲ＝１、或いはｏｐｔｉｏｎ  １、或いはＣＱＩの周期Ｐが１６である場合のｏｐｔｉｏｎ  ２全て図２のように同じ結果を有する。この場合、０番目のＵＬサブフレームの２５番目のＣＱＩを割り当てられた使用者のｓは２５となり、従って、ＴＰＣチャンネルのサブフレームは１、位置は２５  ｍｏｄ  １５＝９となる２０５。また、２番目のＵＬサブフレームの２番目のＣＱＩを使用する使用者のｓは６２となり、ＴＰＣチャンネルのサブフレームは３、位置は６２  ｍｏｄ  １６＝１４となる２１５。
【００５９】
図３は、本発明の実施形態による広帯域無線通信システムにおいて、閉ループ電力制御によるＴＰＣ命令のためのオーバーヘッドを減らすための端末動作のフローチャートである。
【００６０】
前記図３を参照すると、端末はステップ３００で該当基地局に初期アクセスを試み、ステップ３０２で初期アクセスに成功すると、前記該当基地局から端末識別子及びアップリンク制御チャンネルを獲得する。例えば、前記アップリンク制御チャンネルは、レンジングチャンネル、ＣＱＩチャンネル及びＡＣＫチャンネルなどがある。前記レンジング、ＣＱＩ，ＡＣＫ情報などは、周期的に前記端末が前記基地局にフィードバックする制御情報である。
【００６１】
次に、前記端末はステップ３０４で割り当てられたアップリンク制御チャンネルに基づき、ＴＰＣ命令位置を計算する。言い換えると、アップリンク制御チャンネルを介してフィードバックする制御情報（例：ＣＱＩ）の伝送周期などを考慮し、前記該当基地局からＴＰＣ命令を受信するフレームのサブフレームを計算する。ＴＰＣ命令を伝送するフレームと前記フレームのサブフレームインデックスを決定する規則は、前記図１乃至前記図２を参照する。
【００６２】
従って、前記端末は、前記該当基地局から別途のダウンリンク制御情報を受信しなくてもＴＰＣ命令を受信することができる。
【００６３】
次に、前記端末は、ステップ３０６で前記該当基地局から伝送されるＴＰＣ命令を受信する位置であるかを確認し（即ち、ＴＰＣ命令を含むフレーム及びサブフレームインデックスを確認し）、ステップ３０８に進行して、該当フレームのサブフレーム内に含まれた自らのＴＰＣ命令があるとき、ＴＰＣ命令を受信する。前記ＴＰＣ命令値は所定のビット値であり、該当端末の電力を増加させるか減少させる。
【００６４】
次に、前記端末はステップ３１０で受信したＴＰＣ命令に応じて送信電力を制御する。即ち、ＴＰＣ命令値に応じて、送信電力を増加させるか減少させる。
【００６５】
次に、前記端末はステップ３１２で、前記ステップ３０２で割り当てられたアップリンク制御チャンネルを介して、該当制御情報（例：レンジング、ＣＱＩ、ＡＣＫ情報など）を伝送する。ここで、ステップ３１２はステップ３０８乃至ステップ３１０のプロセッサと別途に動作し、ステップ３０２の次にいつでも行われてもよい。また、ステップ３０８乃至ステップ３１０では、アップリンク制御チャンネルを介して制御情報のフィードバックが終了するまで周期的に行う。
【００６６】
次に、本発明の手順を終了する。
【００６７】
図４は、本発明の実施形態による広帯域無線通信システムにおいて、閉ループ電力制御によるＴＰＣ命令のためのオーバーヘッドを減らすための基地局動作のフローチャートである。
【００６８】
前記図４を参照すると、基地局はステップ４００で該当端末の初期ネットワーク進入を承認し、ステップ４０２で前記該当端末に端末識別子を割り当て、ステップ４０４で前記該当端末にアップリンク制御チャンネルを割り当てる。例えば、前記アップリンク制御チャンネルは、レンジングチャンネル、ＣＱＩチャンネル及びＡＣＫチャンネルなどがある。前記レンジング、ＣＱＩ，ＡＣＫ情報などは、周期的に前記端末から前記基地局にフィードバックされる制御情報である。
【００６９】
次に、前記基地局はステップ４０６で、該当アップリンク制御情報（例：ＣＱＩ）を受信するのか決定する。前記該当端末から割り当てたアップリンク制御チャンネルを介して該当アップリンク制御情報（例：ＣＱＩ）を受信する際、ステップ４０８に進行して、アップリンク制御チャンネルを割り当てられた端末に対してアップリンクチャンネルのＳＩＮＲを計算する。即ち、ＣＱＩ値は既に知られている値であるため、前記受信されたＣＱＩ値との相関を利用してＳＩＮＲ値を計算することができる。
【００７０】
次に、前記基地局はステップ４１０で割り当てられたアップリンク制御チャンネルに基づき、ＴＰＣ命令位置を決定する。言い換えると、アップリンク制御チャンネルを介してフィードバックされる制御情報（例：ＣＱＩ）の伝送周期などを考慮し、ＴＰＣ命令を伝送するフレームのサブフレームを計算する。ＴＰＣ命令を伝送するフレームと前記フレームのサブフレームインデックスを決定する規則は、前記図１乃至前記図２を参照する。
【００７１】
次に、前記基地局はステップ４１２で決定されたフレームのサブフレーム位置からＴＰＣ命令を伝送する。
【００７２】
一方、前記端末は、前記該当端末から周期的にアップリンク制御情報を受信する場合、ステップ４０８乃至ステップ４１２を反復して行う。
【００７３】
次に、本発明の手順を終了する。
【００７４】
図５は、本発明の実施形態による広帯域無線通信システムにおいて、閉ループ電力制御によるＴＰＣ命令のためのオーバーヘッドを減らすための基地局構成図を示す図である。
【００７５】
図５を参照すると、前記端末は、ＲＦ処理機５０１、アナログ／デジタル変換機（Ａｎａｌｏｇ／Ｄｉｇｉｔａｌ  Ｃｏｎｖｅｒｔｏｒ）５０３、ＯＦＤＭ復調器５０５、復号化器５０７、メッセージ処理部５０９、制御部５１１、ＳＩＮＲ計算部５１３、ＴＰＣ伝送位置決定部５１５、メッセージ生成部５１７、符号化器５１９、ＯＦＤＭ変調器５２１、デジタル／アナログ変換機（Ｄｉｇｉｔａｌ／Ａｎａｌｏｇ  Ｃｏｎｖｅｒｔｏｒ）５２３及びＲＦ処理機５２５を含んで構成される。
【００７６】
まず、ＲＦ処理機５０１、Ａ／Ｄ変換機５０３、ＯＦＤＭ復調器５０５、復号化器５０７、メッセージ処理部５０９で構成される受信端と、メッセージ生成部５１７、符号化器５１９、ＯＦＤＭ変調器５２１、Ｄ／Ａ変換機５２３及びＲＦ処理機５２５で構成される送信端は、ＦＤＤ或いはＴＤＤで動作してもよい。
【００７７】
受信区間の間、前記ＲＦ処理機５０１は、アンテナを介して受信されるＲＦ（Ｒａｄｉｏ  Ｆｒｅｑｕｅｎｃｙ）信号を基底帯域アナログ信号に変換する。前記Ａ／Ｄ変換機５０３は、前記ＲＦ処理機５０１からのアナログ信号をサンプルデータに変換して出力する。前記ＯＦＤＭ復調器５０５は、前記Ａ／Ｄ変換機５０３で出力されるサンプルデータを高速フーリエ変換（Ｆａｓｔ  Ｆｏｕｒｉｅｒ  Ｔｒａｎｓｆｏｒｍ）して周波数領域のデータを出力する。
【００７８】
前記復号化器５０７は、前記ＯＦＤＭ復調器５０５からの周波数領域のデータから実際に受信しようとする副搬送波のデータを選択し、前記選択されたデータを既に決められた変調レベル（ＭＣＳレベル）に応じて復調（ｄｅｍｏｄｕｌａｔｉｏｎ）及び復号（ｄｅｃｏｄｉｎｇ）して出力する。
【００７９】
前記メッセージ処理部５０９は、前記復号化器５０７から入力される制御メッセージを分解し、その結果を制御部５１１に提供する。更に、本発明による前記メッセージ処理部５０９は、端末から受信したアップリンク制御情報、即ち、レンジング、ＣＱＩ、ＡＣＫ情報などを制御部５１１に提供する。
【００８０】
前記制御部５１１は全般的な基地局を制御し、前記メッセージ処理部５０９から提供された情報に対する該当処理を行い、その結果をメッセージ生成部５１７に提供する。また、前記制御部５１１は、前記ＳＩＮＲ計算部５１３から計算された該当端末のアップリンク制御チャンネルのＳＩＮＲを考慮し、該当端末のＴＰＣ命令値を決定する。
【００８１】
前記ＳＩＮＲ計算部５１３は、該当端末のアップリンク制御チャンネルのＳＩＮＲを計算する。例えば、前記ＳＩＮＲ計算部５１３は、前記メッセージ処理部５０９からＣＱＩ情報を受信すると、前記ＣＱＩ値は既に知られている値であるため、前記受信されたＣＱＩ値との相関を利用してＳＩＮＲ値を計算することができる。
【００８２】
前記ＴＰＣ伝送位置決定部５１５は、割り当てられたアップリンク制御チャンネルに基づいて、ＴＰＣ命令位置を計算する。言い換えると、アップリンク制御チャンネルを介してフィードバックする制御情報（例：ＣＱＩ）の伝送周期などを考慮し、ＴＰＣ命令を伝送するフレームのサブフレームを計算する。ＴＰＣ命令を伝送するフレームと前記フレームのサブフレームインデックスを決定する規則は、前記図１乃至前記図２を参照する。
【００８３】
前記メッセージ処理部５１７は、前記制御部５１１から提供された各種情報を利用してメッセージを生成し、物理階層の符号化器５１９に出力する。さらに詳しくは、前記メッセージ生成部５１７は、前記制御部５１１から提供されたＴＰＣ命令値をＴＰＣ伝送位置から該当端末に伝送する。
【００８４】
前記符号化器５１９は、前記メッセージ生成部５１７からのデータを既に決められた変調レベル（ＭＳＣレベル）に応じて符号化及び変調して出力する。前記ＯＦＤＭ復調器５２１は、前記符号化器５１９からのデータを逆高速フーリエ変換（Ｉｎｖｅｒｓｅ  Ｆａｓｔ  Ｆｏｕｒｉｅｒ  Ｔｒａｎｓｆｏｒｍ）してサンプルデータ（ＯＰＤＭシンボル）を出力する。前記デジタル／アナログ変換機５２３は、前記サンプルデータをアナログ信号に変換して出力する。前記ＲＦ処理機５２５は、前記Ｄ／Ａ変換機５２３からのアナログ信号をＲＦ信号に変換し、アンテナを介して送信する。
【００８５】
図６は、本発明の実施形態による広帯域無線通信システムにおいて、閉ループ電力制御によるＴＰＣ命令のためのオーバーヘッドを減らすための端末構成図である。
【００８６】
図６を参照すると、前記基地局は、ＲＦ処理機６０１、アナログ／デジタル変換機６０３、ＯＦＤＭ復調器６０５、復号化器６０７、メッセージ処理部６０９、制御部６１１、ＴＰＣ伝送位置決定部６１３、メッセージ生成部６１７、符号化器６１９、ＯＦＤＭ変調器６２１、デジタル／アナログ変換機６２３及びＲＦ処理機６２５を含んで構成される。
【００８７】
ＲＦ処理機６０１、Ａ／Ｄ変換機６０３、ＯＦＤＭ復調器６０５、復号化器６０７及びメッセージ処理部６０９で構成される受信端と、メッセージ生成部６１７、符号化器６１９、ＯＦＤＭ変調器６２１、Ｄ／Ａ変換機６２３及びＲＦ処理機６２５で構成される送信端は、ＦＤＤ或いはＴＤＤで動作する。
【００８８】
受信区間の間、前記ＲＦ処理機６０１は、アンテナを介して受信されるＲＦ信号を基底帯域アナログ信号に変換する。前記アナログ／デジタル変換機６０３は、前記ＲＦ処理機６０１から提供されたアナログ信号をサンプルデータに変換して出力する。前記ＯＦＤＭ復調器６０５は、前記アナログ／デジタル変換機６０３で出力されるサンプルデータを高速フーリエ変換して周波数領域のデータを出力する。
【００８９】
前記復号化器６０７は、前記ＯＦＤＭ復調器６０５から提供された周波数領域のデータから実際に受信しようとする副搬送波のデータを選択し、前記選択されたデータを既に決められた変調レベル（ＭＣＳレベル）に応じて復調及び復号して出力する。
【００９０】
前記メッセージ処理部６０９は、前記復号化器６０７から入力される制御メッセージを分解し、その結果を制御部６１１に提供する。例えば、前記ＴＰＣ伝送位置決定部６１３によって決定されたＴＰＣ命令位置において、基地局から受信したＴＰＣ命令値を前記制御部６１１に提供する。
【００９１】
前記ＴＰＣ伝送位置決定部６１３は、割り当てられたアップリンク制御チャンネルに基づいて、ＴＰＣ命令位置を計算する。言い換えると、アップリンク制御チャンネルを介してフィードバックする制御情報（例：ＣＱＩ）の伝送周期などを考慮し、ＴＰＣ命令を伝送するフレームのサブフレームを計算する。ＴＰＣ命令を伝送するフレームと前記フレームのサブフレームインデックスを決定する規則は、前記図１乃至前記図２を参照する。
【００９２】
前記制御部６１１は全般的な基地局を制御し、前記メッセージ処理部６０９から提供された情報に対する該当処理を行い、その結果をメッセージ生成部６１７に提供する。また、前記制御部６１１はＴＰＣ命令に応じて、送信電力を増減させて電力制御を行う。
【００９３】
前記メッセージ処理部６１７は、前記制御部６１１を介して提供された各種情報を利用してメッセージを生成し、物理階層の符号化器６１９に出力する。例えば、前記メッセージ生成部６１７は、前記制御部６１１からアップリンク制御情報、即ち、レンジング、ＣＱＩ，ＡＣＫ情報を提供される。
【００９４】
前記符号化器６１９は、前記メッセージ生成部６１７からのデータを既に決められた変調レベル（ＭＳＣレベル）に応じて符号化及び変調して出力する。前記ＯＦＤＭ復調器６２１は、前記符号化器６１９からのデータを逆高速フーリエ変換してサンプルデータ（ＯＰＤＭシンボル）を出力する。前記デジタル／アナログ変換機６２３は、前記サンプルデータをアナログ信号に変換して出力する。前記ＲＦ処理機６２５は、前記デジタル／アナログ変換機６２３からのアナログ信号をＲＦ信号に変換し、アンテナを介して送信する。
【００９５】
前記図５と前記図６の構成において、前記制御部５１１，６１１は、前記メッセージ処理部５０９，６０９、前記メッセージ生成部５１７，６１７、ＳＩＮＲ計算部５１３及び伝送位置決定部５１５，６１３を制御する。即ち、前記制御部５１１，６１１は、前記メッセージ処理部５０９，６０９、前記メッセージ生成部５１７，６１７、ＳＩＮＲ計算部５１３及び伝送位置決定部５１５，６１３の機能を行ってもよい。本発明において、これを別途に構成したのは、各機能を区別して説明するためである。従って、実際に具現する場合、これら全てを制御部５１１，６１１で処理するように構成してもよく、これらのうち一部のみを前記制御部で処理するように構成してもよい。
【００９６】
一方、本発明の詳細な説明では具体的な実施形態に関して説明したが、本発明の範囲を逸脱しない範囲内で多様な変形が可能であることはもちろんである。従って、本発明の範囲は、説明された実施形態に限って決められてはならず、後述する特許請求の範囲だけでなく、この特許請求の範囲と均等なものによって決められるべきである。
【００９７】
広帯域無線通信システムにおいて、アップリンク制御チャンネルに基づいて電力制御命令の伝送位置非明示的に決定することで、電力制御命令割当情報のためのオーバーヘッドを減らすことができるという長所がある。また、迅速な電力制御の効果は維持しながら、ダウンリンクシグナリングオーバーヘッドを最小化することで、システム効率の増大効果を得ることができる。
【符号の説明】
【００９８】
１００  ＣＱＩ＃１
１１０  ＴＰＣ＃１
１２０  ＣＱＩ＃２
１３０  ＴＰＣ＃２
１４０  ｉ番目のフレーム
１５０  ｉ＋１番目のフレーム
【図１】
0005539410.tif 000027
【図３】
0005539410.tif 000028
【図４】
0005539410.tif 000029
【図５】
0005539410.tif 000030
【図６】
0005539410.tif 000031
【図２】
0005539410.tif 000032